【手続補正書】
【提出日】平成15年4月10日(2003.4.10)
【手続補正１】
【補正対象書類名】明細書
【補正対象項目名】０３９８
【補正方法】変更
【補正の内容】
【０３９８】
配列表のための手がかり：
配列番号１  ゲノム配列ＡＣ０１３６０６由来のヒトＮｇＲ２  ｃＤＮＡ配列
配列番号２  ヒトＮｇＲ２アミノ酸配列
配列番号３  ＡＣ０２１７６８由来のマウスＮｇＲ３  ｃＤＮＡ配列
配列番号４  マウスＮｇＲ３アミノ酸配列
配列番号５  ヒトＮｇＲ１アミノ酸配列
配列番号６  ＮｇＲのコンセンサスアミノ酸配列
配列番号７  ｈＮｏｇｏＡ（Ｎｏｇｏ−６６）の番号１０５５〜１１２０アミノ酸残基
配列番号８  成熟ヒトＮｇＲ２アミノ酸配列
配列番号９  成熟マウスＮｇＲ３アミノ酸配列
配列番号１０  コンセンサスＮｇＲ  ＬＬＲＮＴアミノ酸配列
配列番号１１  コンセンサスＮｇＲ  ＬＲＲＣＴドメインアミノ酸配列
配列番号１２  コンセンサスＮｇＲ  ＬＲＲドメインアミノ酸配列
配列番号１３  部分ヒトＮｇＲ３ヌクレオチド配列
配列番号１４  部分ヒトＮｇＲ３アミノ酸配列
配列番号１５  ヒトＮｇＲ２配列をコードするゲノム配列
配列番号１６  マウスＮｇＲ３をコードするゲノム配列（相補鎖）
配列番号１７  マウスＮｇＲ１アミノ酸配列
配列番号１８  ＮｇＲのＮＴＬＲＲＣＴドメインについてのコンセンサス配列
配列番号１９  コンセンサスＮｇＲ  ＬＲＲＣＴドメインアミノ酸配列。
【配列表】
2004528809.tif 000001
2004528809.tif 000002
2004528809.tif 000003
2004528809.tif 000004
2004528809.tif 000005
2004528809.tif 000006
2004528809.tif 000007
2004528809.tif 000008
2004528809.tif 000009
2004528809.tif 000010
2004528809.tif 000011
2004528809.tif 000012
2004528809.tif 000013
2004528809.tif 000014
2004528809.tif 000015
2004528809.tif 000016
2004528809.tif 000017
2004528809.tif 000018
2004528809.tif 000019
2004528809.tif 000020
2004528809.tif 000021
2004528809.tif 000022
2004528809.tif 000023
2004528809.tif 000024
2004528809.tif 000025
2004528809.tif 000026
2004528809.tif 000027
2004528809.tif 000028
2004528809.tif 000029
2004528809.tif 000030
2004528809.tif 000031
2004528809.tif 000032
2004528809.tif 000033
2004528809.tif 000034
2004528809.tif 000035
2004528809.tif 000036
2004528809.tif 000037
2004528809.tif 000038
2004528809.tif 000039
2004528809.tif 000040
2004528809.tif 000041
2004528809.tif 000042
2004528809.tif 000043
2004528809.tif 000044
2004528809.tif 000045
2004528809.tif 000046
2004528809.tif 000047
2004528809.tif 000048
2004528809.tif 000049
2004528809.tif 000050
2004528809.tif 000051
2004528809.tif 000052
2004528809.tif 000053
2004528809.tif 000054
2004528809.tif 000055
2004528809.tif 000056
2004528809.tif 000057
2004528809.tif 000058
2004528809.tif 000059
2004528809.tif 000060
2004528809.tif 000061
2004528809.tif 000062
2004528809.tif 000063
2004528809.tif 000064
2004528809.tif 000065
2004528809.tif 000066
2004528809.tif 000067
2004528809.tif 000068
2004528809.tif 000069
2004528809.tif 000070
2004528809.tif 000071
2004528809.tif 000072
2004528809.tif 000073
2004528809.tif 000074
2004528809.tif 000075
2004528809.tif 000076
2004528809.tif 000077
2004528809.tif 000078
2004528809.tif 000079
2004528809.tif 000080
2004528809.tif 000081
2004528809.tif 000082
2004528809.tif 000083
2004528809.tif 000084
2004528809.tif 000085
2004528809.tif 000086
2004528809.tif 000087
2004528809.tif 000088
2004528809.tif 000089
2004528809.tif 000090
2004528809.tif 000091
2004528809.tif 000092
2004528809.tif 000093
2004528809.tif 000094
2004528809.tif 000095
2004528809.tif 000096
2004528809.tif 000097
2004528809.tif 000098
2004528809.tif 000099
2004528809.tif 000100
2004528809.tif 000101
2004528809.tif 000102
2004528809.tif 000103
2004528809.tif 000104
2004528809.tif 000105
2004528809.tif 000106
2004528809.tif 000107
2004528809.tif 000108
2004528809.tif 000109
2004528809.tif 000110
2004528809.tif 000111
2004528809.tif 000112
2004528809.tif 000113
2004528809.tif 000114
2004528809.tif 000115
2004528809.tif 000116
2004528809.tif 000117
2004528809.tif 000118
2004528809.tif 000119
2004528809.tif 000120
2004528809.tif 000121
2004528809.tif 000122
2004528809.tif 000123
2004528809.tif 000124
2004528809.tif 000125
2004528809.tif 000126
2004528809.tif 000127
2004528809.tif 000128
2004528809.tif 000129
2004528809.tif 000130
2004528809.tif 000131
2004528809.tif 000132
2004528809.tif 000133
2004528809.tif 000134
2004528809.tif 000135
2004528809.tif 000136
2004528809.tif 000137
2004528809.tif 000138
2004528809.tif 000139
2004528809.tif 000140
2004528809.tif 000141
2004528809.tif 000142
2004528809.tif 000143
2004528809.tif 000144
2004528809.tif 000145
2004528809.tif 000146
2004528809.tif 000147
2004528809.tif 000148
2004528809.tif 000149
2004528809.tif 000150
2004528809.tif 000151
2004528809.tif 000152
2004528809.tif 000153
2004528809.tif 000154
2004528809.tif 000155
2004528809.tif 000156
2004528809.tif 000157
2004528809.tif 000158
2004528809.tif 000159
2004528809.tif 000160
2004528809.tif 000161
2004528809.tif 000162
2004528809.tif 000163
2004528809.tif 000164
2004528809.tif 000165
2004528809.tif 000166
2004528809.tif 000167
2004528809.tif 000168
2004528809.tif 000169
2004528809.tif 000170
2004528809.tif 000171
2004528809.tif 000172
2004528809.tif 000173
2004528809.tif 000174
2004528809.tif 000175
2004528809.tif 000176
2004528809.tif 000177
2004528809.tif 000178
2004528809.tif 000179
2004528809.tif 000180
2004528809.tif 000181
2004528809.tif 000182
2004528809.tif 000183
2004528809.tif 000184
2004528809.tif 000185
2004528809.tif 000186
2004528809.tif 000187
2004528809.tif 000188
2004528809.tif 000189
2004528809.tif 000190
2004528809.tif 000191
2004528809.tif 000192
2004528809.tif 000193
2004528809.tif 000194
2004528809.tif 000195
2004528809.tif 000196
2004528809.tif 000197
2004528809.tif 000198
2004528809.tif 000199
2004528809.tif 000200
2004528809.tif 000201
2004528809.tif 000202
2004528809.tif 000203
2004528809.tif 000204
2004528809.tif 000205
2004528809.tif 000206
2004528809.tif 000207
2004528809.tif 000208
2004528809.tif 000209
2004528809.tif 000210
2004528809.tif 000211
2004528809.tif 000212
2004528809.tif 000213
2004528809.tif 000214
2004528809.tif 000215
2004528809.tif 000216
2004528809.tif 000217
2004528809.tif 000218
2004528809.tif 000219
2004528809.tif 000220
2004528809.tif 000221
2004528809.tif 000222
2004528809.tif 000223
2004528809.tif 000224
2004528809.tif 000225
2004528809.tif 000226
2004528809.tif 000227
2004528809.tif 000228
2004528809.tif 000229
2004528809.tif 000230
2004528809.tif 000231
2004528809.tif 000232
2004528809.tif 000233
2004528809.tif 000234
2004528809.tif 000235
2004528809.tif 000236
2004528809.tif 000237
2004528809.tif 000238
2004528809.tif 000239
2004528809.tif 000240
2004528809.tif 000241
2004528809.tif 000242
2004528809.tif 000243
2004528809.tif 000244
2004528809.tif 000245
2004528809.tif 000246
2004528809.tif 000247
2004528809.tif 000248
2004528809.tif 000249
2004528809.tif 000250
2004528809.tif 000251
2004528809.tif 000252
2004528809.tif 000253
2004528809.tif 000254
2004528809.tif 000255
2004528809.tif 000256
2004528809.tif 000257
2004528809.tif 000258
2004528809.tif 000259
2004528809.tif 000260
2004528809.tif 000261
2004528809.tif 000262
2004528809.tif 000263
2004528809.tif 000264
2004528809.tif 000265
2004528809.tif 000266
2004528809.tif 000267
2004528809.tif 000268
2004528809.tif 000269
2004528809.tif 000270
2004528809.tif 000271
2004528809.tif 000272
2004528809.tif 000273
2004528809.tif 000274
2004528809.tif 000275
2004528809.tif 000276
2004528809.tif 000277
2004528809.tif 000278
2004528809.tif 000279
2004528809.tif 000280
2004528809.tif 000281
2004528809.tif 000282
2004528809.tif 000283
2004528809.tif 000284
2004528809.tif 000285
2004528809.tif 000286
2004528809.tif 000287
2004528809.tif 000288
2004528809.tif 000289
2004528809.tif 000290
2004528809.tif 000291
2004528809.tif 000292
2004528809.tif 000293
2004528809.tif 000294
2004528809.tif 000295
2004528809.tif 000296
2004528809.tif 000297
2004528809.tif 000298
2004528809.tif 000299
2004528809.tif 000300
2004528809.tif 000301
2004528809.tif 000302
2004528809.tif 000303
2004528809.tif 000304
2004528809.tif 000305
2004528809.tif 000306
2004528809.tif 000307
2004528809.tif 000308
2004528809.tif 000309
2004528809.tif 000310
2004528809.tif 000311
2004528809.tif 000312
2004528809.tif 000313
2004528809.tif 000314
2004528809.tif 000315
2004528809.tif 000316
2004528809.tif 000317
2004528809.tif 000318
2004528809.tif 000319
2004528809.tif 000320
2004528809.tif 000321
2004528809.tif 000322
2004528809.tif 000323
2004528809.tif 000324
2004528809.tif 000325
2004528809.tif 000326
2004528809.tif 000327
2004528809.tif 000328
2004528809.tif 000329
2004528809.tif 000330
2004528809.tif 000331
2004528809.tif 000332
2004528809.tif 000333
2004528809.tif 000334
2004528809.tif 000335
2004528809.tif 000336
2004528809.tif 000337
2004528809.tif 000338
2004528809.tif 000339
2004528809.tif 000340
2004528809.tif 000341
2004528809.tif 000342
2004528809.tif 000343
2004528809.tif 000344
2004528809.tif 000345
2004528809.tif 000346
2004528809.tif 000347
2004528809.tif 000348
2004528809.tif 000349
2004528809.tif 000350
2004528809.tif 000351
2004528809.tif 000352
2004528809.tif 000353
2004528809.tif 000354
2004528809.tif 000355
2004528809.tif 000356
2004528809.tif 000357
2004528809.tif 000358
2004528809.tif 000359
2004528809.tif 000360
2004528809.tif 000361
2004528809.tif 000362
2004528809.tif 000363
2004528809.tif 000364
2004528809.tif 000365
2004528809.tif 000366
2004528809.tif 000367
2004528809.tif 000368
2004528809.tif 000369
2004528809.tif 000370
2004528809.tif 000371
2004528809.tif 000372
2004528809.tif 000373
2004528809.tif 000374
2004528809.tif 000375
2004528809.tif 000376
2004528809.tif 000377
2004528809.tif 000378
2004528809.tif 000379
2004528809.tif 000380
2004528809.tif 000381
2004528809.tif 000382
2004528809.tif 000383
2004528809.tif 000384
2004528809.tif 000385
2004528809.tif 000386
2004528809.tif 000387
2004528809.tif 000388
2004528809.tif 000389
2004528809.tif 000390
2004528809.tif 000391
2004528809.tif 000392
2004528809.tif 000393
2004528809.tif 000394
2004528809.tif 000395
2004528809.tif 000396
2004528809.tif 000397
2004528809.tif 000398
2004528809.tif 000399
2004528809.tif 000400
2004528809.tif 000401
2004528809.tif 000402
2004528809.tif 000403
2004528809.tif 000404
2004528809.tif 000405
2004528809.tif 000406
2004528809.tif 000407
2004528809.tif 000408
2004528809.tif 000409
2004528809.tif 000410
2004528809.tif 000411
2004528809.tif 000412
2004528809.tif 000413
2004528809.tif 000414
2004528809.tif 000415
2004528809.tif 000416
2004528809.tif 000417
2004528809.tif 000418
2004528809.tif 000419
2004528809.tif 000420
2004528809.tif 000421
2004528809.tif 000422
2004528809.tif 000423
2004528809.tif 000424
2004528809.tif 000425
2004528809.tif 000426
2004528809.tif 000427
2004528809.tif 000428
2004528809.tif 000429
2004528809.tif 000430
2004528809.tif 000431
2004528809.tif 000432
2004528809.tif 000433
2004528809.tif 000434
2004528809.tif 000435
2004528809.tif 000436
2004528809.tif 000437
2004528809.tif 000438
2004528809.tif 000439
2004528809.tif 000440
2004528809.tif 000441
2004528809.tif 000442
2004528809.tif 000443
2004528809.tif 000444
2004528809.tif 000445
2004528809.tif 000446
2004528809.tif 000447
2004528809.tif 000448
2004528809.tif 000449
2004528809.tif 000450
2004528809.tif 000451
2004528809.tif 000452
2004528809.tif 000453
2004528809.tif 000454
2004528809.tif 000455
2004528809.tif 000456
2004528809.tif 000457
2004528809.tif 000458
2004528809.tif 000459
2004528809.tif 000460
2004528809.tif 000461
2004528809.tif 000462
2004528809.tif 000463
2004528809.tif 000464
2004528809.tif 000465
2004528809.tif 000466
2004528809.tif 000467
2004528809.tif 000468
2004528809.tif 000469
2004528809.tif 000470
2004528809.tif 000471
2004528809.tif 000472
2004528809.tif 000473
2004528809.tif 000474
2004528809.tif 000475
2004528809.tif 000476
2004528809.tif 000477
2004528809.tif 000478
2004528809.tif 000479
2004528809.tif 000480
2004528809.tif 000481
2004528809.tif 000482
2004528809.tif 000483
2004528809.tif 000484
2004528809.tif 000485
2004528809.tif 000486
2004528809.tif 000487
2004528809.tif 000488
2004528809.tif 000489
2004528809.tif 000490
2004528809.tif 000491
2004528809.tif 000492
2004528809.tif 000493
2004528809.tif 000494
2004528809.tif 000495
2004528809.tif 000496
2004528809.tif 000497
2004528809.tif 000498
2004528809.tif 000499
2004528809.tif 000500
2004528809.tif 000501
2004528809.tif 000502
2004528809.tif 000503
2004528809.tif 000504